(57)【特許請求の範囲】
【請求項１】
側面板、サウンドホールを有する表板、及び裏板を有し、少なくとも前記側面板と前記表板とが、前記側面板及び前記表板にそれぞれ接着され互いに直交する接着面を介して内側から接着された三角柱木材からなる内木、及び該内木の外側から接着された外木、を介して接続された中空構造のボディーと、
前記ボディーに突設されたネック部と、
前記ネック部から前記サウンドホール上を通り前記表板にかけて張設された弦と、
前記表板上に設置され前記弦を係止する係止部と、
演奏時に演奏者の腕が接触する部位に該当する、前記ボディーの大径部分における前記外木の一部に設けられ、前記表板から前記側面板にかけて滑らかに湾曲して形成された湾曲面と
を具備し、
前記湾曲面が設けられた側の前記外木は、前記ボディーの前記ネック部側から前記ネック部の相対部分側まで一本の木材で形成されており、該一本の木材で形成された前記外木は、前記内木の直角な角部分を切削して形成された接着面に接着されている
ことを特徴とするギター。
【請求項２】
前記湾曲面の前記表板から前記側面板までの幅は、中央部分が最も広く、前記ネック部側及び前記ネック部の相対部分側へ向かって漸次狭くなるように形成されていることを特徴とする請求項１に記載のギター。
【発明の詳細な説明】
【技術分野】
【０００１】
本発明は、ギターに関するものであり、特に、ボディーが中空構造を有するギターに関するものである。
【背景技術】
【０００２】
弦楽器の一つであるギターの代表的なボディーは、木製であり、表板、裏板、及び側面板により箱状に形成されている。また、内部は空洞となっており、弦の振動がその空洞内で共振して増幅される。そして、増幅された振動を表板に設けられたサウンドホールから放出することにより音が出される。つまり、ボディーの空洞が音量や音質に影響し、一般的に、空気容積が大きいほど音量が大きく低音までよく鳴るものとなる。そこで、ナチュラルな音色で大きな音量を出すためには、大きなボディーが必要となってくる。
【０００３】
上記の従来技術は、公然に実施されているものであり、出願人は、この従来技術が記載された文献を、本出願時において知見していない。
【発明の開示】
【発明が解決しようとする課題】
【０００４】
しかしながら、このような大きなボディーのギターを演奏する時には、演奏者の腕がボディーの角と接触することがある。例えば、アコースティックギターを演奏する時には、演奏者はボディーを膝の上に乗せ、片腕でそのボディーを抱え込み、サウンドホール上の弦を指などで弾いて演奏する。すると、演奏者の二の腕がボディーの表板側の角と接触していた。また、立って演奏する場合でも、演奏者の肘から手首までの部分がギターの表板側の角に接触していた。上記のようにボディーの表面側の角が腕の一部と接触すると、腕を動かして演奏する場合、ボディーの角で腕が擦れて腕が痛くなることがある。また、ボディーの角は衝撃を伝えやすいため、腕が動くとギター自体も連動することとなり、正確な音を出すことや一定のリズムを刻むことが困難であった。
【０００５】
さらに、クラシックギターを演奏する場合にも同様の問題点を有していた。具体的には、クラシックギターを演奏する時には、演奏者は椅子に座り、左足を高さ約２０ｃｍの足台にのせる。そして、左膝に略瓢箪形状のボディーのくぼみを乗せ、右膝に底部を乗せた後、胸にボディーのネック側を当て、右腕で底部側を支えて、右手の指などでサウンドホール上の弦を弾いて演奏することとなるが、この場合演奏者の右腕がボディーの表面側の角と接触する可能性が高い。したがって、長時間演奏すると右腕が圧迫されるため痛くなり、長時間演奏することが困難であった。そこで、演奏者は右腕にサポーターをつけたり、接触部分に布等を添えるなどして対処してきたが、サポーターでは肘を曲げる動作が鈍くなり演奏に支障をきたす恐れがあり、さらに蒸れるなどして演奏中に不快感を感じる恐れがあった。また、布等を添えても演奏中にずれ落ちてしまう恐れがあり、効果を持続させることが困難であった。
【０００６】
なお、アコースティックギターやクラシックギターのようにナチュラルな音を創り出すギターに対して、エレキギターなどは次のようにして音を創り出している。まず、ギター表面に設置されたピックアップにより弦の振動を電気信号に変え、その電気信号をアンプなどの音を増幅したり音質を変化させる装置に送る。そして、アンプなどから再びスピーカーに電気信号が送られ、スピーカーから音を出している。すなわち、エレキギターなどは、音量や音質をアンプなどで自由に調節することができるため、ボディー構造により音響が変化することはあまりない。そこで、エレキギターなどは、美観的目的でボディーのサイズを小さくすることや、角全体を湾曲させることが一般的に行われていた。しかしながら、アコースティックギターやクラシックギターなどではボディーを小さくすると大きな音量が得られなくなる。また、全体の角を湾曲させた場合には、内部空間が狭くなって空気容積が減少するため、音量が小さくなるなどの音響効果を損ねる恐れがあった。また、操作性においては、膝に乗せてギターを演奏しようとすると、湾曲面でギターが滑ってしまったり、倒れてしまうために、ギターを支えて演奏することが必要となり、演奏に支障をきたす恐れがあった。
【０００７】
そこで、本発明は、上記実情に鑑み、音響効果や安定性を損なわず操作性を向上させた中空構造ボディーのギターを提供するものである。
【課題を解決するための手段】
【０００８】
本発明に係るギターは「側面板、サウンドホールを有する表板、及び裏板を有し、少なくとも前記側面板と前記表板とが、前記側面板及び前記表板にそれぞれ接着され互いに直交する接着面を介して内側から接着された三角柱木材からなる内木、及び該内木の外側から接着された外木、を介して接続された中空構造のボディーと、前記ボディーに突設されたネック部と、前記ネック部から前記サウンドホール上を通り前記表板にかけて張設された弦と、前記表板上に設置され前記弦を係止する係止部と、演奏時に演奏者の腕が接触する部位に該当する、前記ボディーの大径部分における前記外木の一部に設けられ、前記表板から前記側面板にかけて滑らかに湾曲して形成された湾曲面とを具備し、
前記湾曲面が設けられた側の前記外木は、前記ボディーの前記ネック部側から前記ネック部の相対部分側まで一本の木材で形成されており、該一本の木材で形成された前記外木は、前記内木の直角な角部分を切削して形成された接着面に接着されている」ものである。
【０００９】
本発明のギターによれば、一方の手でネック部を持ち、他方の腕をボディーの一部と接触させて、サウンドホール上の弦を指などで弾いて演奏すると、奏者の腕は滑らかな湾曲面で接触することとなる。また、ボディーの湾曲面以外の接続部分は略直角であるため、それらの接続部分はボディーが滑ることや傾倒しないための支えとなるとともに、内部の空気容積を減少させることがないことから大きな音量を得ることが可能となる。
【００１１】
本発明のギターによれば、接続部分に内木及び外木を設けることにより、各部材の接続面積が広くなるため接続部分の強度が強くなる。また、外木の形状を変えることにより、ボディーの接続部分の形状を変更することが可能となるため、操作性や美観を向上させることが容易となる。さらに、外木及び内木を接続部分に適した木材（例えば伸縮性が少ない木材など）に変更することや、厚い木材としたり、切り込みを入れるなどの加工をすることが可能となるため、表板、裏板、及び側面板にとらわれない自由な木材を使用することができる。
【００１２】
ところで、表板を湾曲させることにより湾曲面を形成しようとすると、湾曲面が割れてしまったり亀裂が生じることがある。しかしながら、本発明のギターによれば、外木の厚みが制限されないために、外木に湾曲面を形成する時に割れてしまったり亀裂が生じることが抑制される。特に、湾曲面を切削して形成した場合には、湾曲面が割れてしまったり亀裂が生じる事がなくなり、所定の曲率半径や面積の湾曲面を容易に形成することが可能である。
【００１３】
また、本発明にかかるギターにおいて、「前記外木は、前記ボディーの前記ネック部側から前記ネック部の相対部分側まで一本の木材で形成されている」ものとすることができる。
【００１４】
本発明のギターによれば、外木は一本の木材で形成されているため、部品の数が少なく接着工程を削減することができ、繋ぎ合わせた木材よりも強度の高いものとなる。また、外観も継ぎ目の無いものとなり、見た目が綺麗になる。
【００１５】
また、本発明にかかるギターにおいて、「前記湾曲面の前記表板から前記側面板までの幅は、中央部分が最も広く、前記ネック部側及び前記ネック部の相対部分側へ向かって漸次狭くなるように形成されている」ものとすることができる。
【００１６】
本発明のギターによれば、湾曲面はその中心を最大幅として長手方向に漸次狭くなっているため、接触頻度が高い中央では接触する腕が痛くなることが少なくなり操作性が向上する。また、使用頻度が低い端では湾曲面と湾曲面でない部分との境目が目立たなくなるように滑らかに幅を狭くすることで、湾曲面が強調されにくくなり、美観が良くなる。
【発明の効果】
【００１７】
このように、本発明のギターによれば、演奏者の腕に接触するボディーが湾曲面であるため、接触する腕が痛くならず演奏することができ操作性を向上させることが可能である。また、ボディーの必要部分にのみ湾曲面が形成され、他の角部には湾曲面が形成されていないため、ボディー内部の空気容積が確保されて、大きな音量を得ることが可能である。しかも、演奏中に湾曲面以外の角部がボディーの滑りや傾倒の支えとなり、安定して演奏することができる。
【発明を実施するための最良の形態】
【００１８】
以下、本発明の一実施形態であるギター１について、図１乃至図４に基づいて説明する。ここで、図１は本実施形態のギター１の構成を示す正面図、図２は側面図、図３は底面図であり、図４は本実施形態のギター１における要部の構成を示す拡大断面図である。
【００１９】
ギター１は、図１及び図２に示すように、ボディー２とネック部１４とを有しており、ボディー２にネック部１４が突設されている。また、ボディー２は、表板４、裏板５、及び側面板６を有しており、各部材は外側から外木７を介して接着されている。さらに、表板４上にはサウンドホール１１と係止部１３とが設けらている。そして、ネック部１４の先端からサウンドホール１１上を通り係止部１３にかけて弦１２が張設されている。なお、外木７の一部には湾曲面３が形成されている。
【００２０】
ボディー２の接続部分は、図４に示すように、表板４、裏板５、及び側面板６に対して外側から接着された外木７、及び内側から接着された内木８によって構成されている。
【００２１】
表板４は、図１に示すように、表面形状が略瓢箪形状の薄板である。また表板４の接続部分は外木７に沿った形状を呈しており、特に湾曲面３との接続部分では図１に示すような湾曲形状を呈している。なお、表板４の厚みは特に限定されないが、本実施例では約３ｍｍの薄板が用いられている。
【００２２】
裏板５は、表板４と同様に表面形状が略瓢箪形状の薄板である。また図２に示すように、表板４と略平行に配置され、裏板５の接続部分は外木７に沿った形状を呈している。なお、裏板５の厚みは特に限定されないが、本実施例では約３ｍｍの薄板が用いられている。
【００２３】
側面板６は、略長方形の薄板を、表板４及び裏板５の周縁に沿って曲げることにより形成されており、図２に示すように、ボディー２の外周側面を構成している。なお、側面板６の接続部分は外木７に沿った形状を呈しており、特に湾曲面３との接続部分では図２及び図３に示すような湾曲形状を呈している。また、側面板６の厚みは特に限定されないが、本実施例では約３ｍｍの薄板が用いられている。
【００２４】
外木７は、図１、図３及び図４に示すように、表板４及び裏板５の周縁に沿って略瓢箪形状に曲がっている。また、外木７は四本の木材からなる。すなわち、表板４と側面板６との間で左側に配設された第一外木１７と、その右側に配設された第二外木１８と、裏板５と側面板６との間で左側に配設された第三外木１９と、その右側に配設された第四外木２０とにより構成されている。第一外木１７は、湾曲面３を有している。一方、第二外木１８、第三外木１９、及び第四外木２０は、帯状の薄板である。なお、第一外木１７の厚みは特に限定されないが、本実施例では約３ｍｍであり、湾曲面３での厚みＴは約３ｍｍ〜４ｍｍである。また、第二外木１８、第三外木１９、及び第四外木２０の厚みは特に限定されないが、本実施例では約３ｍｍの薄板状の部材が用いられている。
【００２５】
内木８は、表板４及び裏板５の周縁に沿って略瓢箪形状に曲がっている。また、内木８は二本の木材からなる。すなわち、表板４と側面板６との間に配設された第一内木２１と、裏板５と側面板６との間に配設された第二内木２２とにより構成されている。なお、第一内木２１は、図４（ａ）及び図４（ｂ）に示すように、略三角柱木材であるが、接着面２１ｄは湾曲面３に対応した形状を呈している。一方、第二内木２２は、図４（ｃ）に示す略三角柱木材である。また、第一内木２１の内面２１ｃ、及び第二内木２２の内面２２ｃには、略等間隔に切り込み（図示しない）を有する。
【００２６】
湾曲面３は、図１に示すように、サウンドホール１１上に手が位置した時に、腕１６とボディー２とが接触する接続部分に形成されている。また、湾曲面３は中央部分で最大幅となり、ボディー２の周縁に沿って長手方向に漸次幅が狭くなっている。なお、本実施例では、湾曲面３の最大幅Ｗは約２３ｍｍであるが、湾曲面３の最大幅はこれに限定されるものではなく、ボディー２の大きさや演奏者の使用状態によって変化させるようにしても良い。
【００２７】
湾曲面３における接続部分は、図４（ａ）に示すように構成されている。すなわち、表板４、側面板６、第一内木２１、及び第一外木１７が互いに接着されている。また、表板４と第一外木１７との接続部分の表面に段差がなく、側面板６と第一外木１７との接続部分の表面に段差がないために滑らかな面となっている。
【００２８】
湾曲面３以外における表板４と側面板６との接続部分は、図４（ｂ）に示すように構成されている。すなわち、表板４、側面板６、及び第一外木１７又は第二外木１８が互いに接着されている。また、表板４に対して、第一外木１７又は第二外木１８が略直角に接着されている。すなわち、湾曲面３以外における表板４と側面板６との接続部分は略直角となっている。
【００２９】
裏板５と側面板６との接続部分は、図４（ｃ）に示すように構成されている。すなわち、裏板５、側面板６、第二内木２２、及び第三外木１９又は第四外木２０が互いに接着されている。また、裏板５に対して、第三外木１９又は第四外木２０が略直角に接着されている。すなわち、裏板５と側面板６との接続部分は略直角となっている。
【００３０】
なお、表板４、裏板５及び側面板６の接続部分、特に外木７の両端側にはパーフリングと呼ばれる装飾１５が施されており、装飾１５は柄模様の黒檀やメイプル等々の木材や、貝殻等が入ったセルロイド及びプラスチックなどからなる。また、装飾１５はボディー２の接続部分に沿って設けられている。
【００３１】
次に、図１及び図４を用いてボディー２の製造方法について説明する。まず、側面板６を表板４及び裏板５の周縁に沿って略瓢箪形状に曲げる。そこで、側面板６を煮沸させたり蒸煮させて含水率を上げ、アイロン等で熱を加えながら表板４及び裏板５の周縁に沿った略瓢箪形状に曲げ、その後、型枠等に入れて固定した状態で水分を蒸発させることにより製造される。
【００３２】
そして、図４（ｂ）及び図４（ｃ）に示すように、上記の方法によって曲げられた略瓢箪形状を呈する側面板６の周縁に沿って、第一内木２１を端面２１ｂで接着させ、同様に、第二内木２２を端面２２ｂで接着させる。次に、第一内木２１の端面２１ａを側面板６の端面６ｆ（点線で示す）と略同一平面となるように側面板６の周縁に沿って切削し、同様に、第二内木２２の端面２２ａを切削する。その後、表板４を側面板６及び第一内木２１の周縁に合わせて接着させ、同様に、裏板５を側面板６及び第二内木２２に接着させる。これにより、略瓢箪形状の箱が形成される。なお、本実施例では、表板４を側面板６に接着後、裏板５を接着させたが、本発明はこれに限定されることはなく、裏板５を側面板６に接着後、表板４を接着させても良い。
【００３３】
次に、上記の工程により製造された略瓢箪形状を呈するボディー２の接続部分に、外木７をはめ込むための溝７ｐを形成する。つまり、図４（ｂ）に示すように、接続部分の側面板６及び表板４を周縁に沿って切削し溝７ｐを形成する。同様に、図４（ｃ）に示すように、側面板６及び裏板５に溝７ｐを形成する。
【００３４】
さらに、装飾１５をはめ込むための溝１５ｐを形成する。つまり、図４（ａ）及び図４（ｂ）に示すように、表板４と側面板６の端部を周縁に沿って切削し溝１５ｐを形成する、同様に、図４（ｃ）に示すように、裏板５と側面板６に溝１５ｐを形成する。
【００３５】
その後、湾曲面３における接続部分の加工をする。すなわち、図４（ａ）に示すように、内木２１の角Ｑ（点線で示す）をナイフなどで切削し、湾曲面３に応じた接着面２１ｄを形成し、さらに表板４の端面４ａ及び側面板６の端面６ａを形成する。
【００３６】
次に、上記の工程により製造されたボディー２の接続部分に装飾１５を接着する。すなわち、表板４と裏板５と側面板６の各部材の周縁に設けられた溝１５ａに装飾１５をはめ込み接着する。
【００３７】
さらに、第二外木１８と第三外木１９と第四外木２０を作成し接着させる。ここで、これらの部材を側面板６の略瓢箪形状に曲げるため、煮沸させたり蒸煮させて含水率を上げ、アイロン等で熱を加えながら側面板６の略瓢箪形状に曲げ、その後、型枠等に入れて固定した状態で水分を蒸発させる。そして、上記のようにして製造された第二外木１８を、ボディー２の接続部分に設けられた溝７ｐにはめ込み、表板４、側面板６、及び第一内木２１に接着させる。同様に、第三外木１９と第四外木２０を夫々対応する溝７ｐにはめ込み各部に接着させる。
【００３８】
その後、第一外木１７を作成し側面板６に接着させるが、ここで、第一外木１７の製造方法について詳説する。第一外木１７は、一辺約２３ｍｍの四角柱木材を切削して製造する。そこで、第一外木１７を略瓢箪形状に曲げるため、四角柱木材を煮沸したり蒸煮させて木材の含水率を上げ、高周波やマイクロ波を用いてさらにやわらかくさせた状態で、熱を加えながら曲げ、側面板６の略瓢箪形状の型枠等に入れて固定し水分を蒸発させる。次に、湾曲面３においては、図４（ａ）に示すように、湾曲面３に応じて四角柱木材の角を切削し接着面１７ｄを形成し、さらに、端面１７ａ及び端面１７ｂを形成する。そして、上記の方法によって製造された第一外木１７を、図４（ａ）及び図４（ｂ）に示すように、溝にはめ込み表板４、側面板６、及び第一内木２１に接着させる。なお、本実施例では一辺約２３ｍｍの四角柱木材を使用したが、本発明はこれに限定されることはなく、一辺の幅を変えてもよく、略多角柱木材や略円柱木材などを用いても良い。
【００３９】
最後に、湾曲面３を形成する。つまり、図４（ａ）に示すように、第一外木１７の角Ｓ（点線で示す）を湾曲面３に応じてナイフ等で切削しヤスリ等で表面を滑らかにする。また、湾曲面３と、表板４又は側面板６との接続表面をヤスリ等により滑らかにする。これにより、湾曲面３が割れてしまったり亀裂を生じることなくボディー２を製造することができる。なお、本実施形態では上記の方法によりボディー２を製造したが、本発明はこれに限定されることはなく、各部材を接着させる工程を変更しても良い。したがって、第一外木１７の製造において、湾曲面３を形成した状態で各部材に接着させても良い。また、湾曲面３を形成した後、各部材を湾曲面３に合わせて加工しボディー２を製造しても良い。
【００４０】
上記に説明したように、本実施形態のギター１によれば、ボディー２に湾曲面３を形成することにより、演奏時に演奏者の腕１６がボディー２と接触しても痛くならない。また、演奏者の腕１６が湾曲面３と接触するため、接触時にギター１がぶれにくくなり、正確な音を出すことや、一定のリズムを刻むことが容易となる。さらに、湾曲面３がボディー２の一部であるため、音響効果を損なうことがなく、直角部分ではギター１が滑ったり傾倒することを防止するため、安定して演奏することができる。したがって、音響効果や安定性を損なわず操作性を向上させた中空構造ボディー２のギター１となり、腕が痛くなることなく長時間演奏することが可能である。なお、ボディー２に施された装飾１５により、見た目が華やかで高級感のあるギター１とすることができる。
【００４１】
加えて、ボディー２の接続部分を外側から接着する外木７と、内側から接着する内木８とにより構成されているため、接続部分が補強され強いボディー２となり、且つ、弦１２の振動が損失されにくくなるため、より大きな音量を出すことが可能となる。また、接続部分で各部材を隙間なく接着させることにより、隙間による振動の損失がなくなるため、大きな音量を出すことが可能となる。
【００４２】
さらに、湾曲面３は角柱木材を切削して製造しているため、割れてしまうことや亀裂を生じることがない。また、第一外木１７に湾曲面３が形成されているため、湾曲面３の位置、面積、及び曲率半径を変更することで、演奏者に合わせた湾曲面３を形成することが可能である。加えて、湾曲面３をボディー２の製造の最後に形成することにより、ボディー２を実際に演奏している状態を想定しながら湾曲面３を微調整することができるため、より演奏者に適したギター１を製造することができる。なお、演奏者に適した湾曲面３を最初に形成した後、各部材を接着させてボディー２を製造することも可能である。
【００４３】
また、湾曲面３は中央部分で最大幅となるため、奏者の腕１６が接触しても痛くならない。さらに、ボディー２の周縁に沿って長手方向に漸次幅を狭くすることで、湾曲面３と湾曲面３でない部分との境目が目立たなくなるため、これらの境目が強調されにくくなる。
【００４４】
以上、本発明について好適な実施形態を挙げて説明したが、本発明はこれらの実施形態に限定されるものではなく、以下に示すように、本発明の趣旨を逸脱しない範囲において種々の改良及び設計の変更が可能である。
【００４５】
本実施形態では、図１に示すように、湾曲面３をネック部１４に対して左側に形成した右利き用のギター１を示したが、湾曲面３をネック部１４に対して右側に形成した左利き用のギターとしても良い。
【００４６】
また、本実施形態では、アコースティックギターに本発明を適用したものを示したが、中空構造のボディーを有するクラシックギターに本発明を適用しても良い。
【００４７】
加えて、本実施形態では、中空構造のボディー２を示したが、表板４又は裏板５の内面に力木（図示しない）を設置しても良い。力木とは、弦１２の引っ張り力に負けないようにするための補強材である。よって、表板４が弦１２に引っ張られて撓むことや、壊れる可能性がなくなる。更に、力木には振動を伝達させる効果があるために、裏板５にも設置することにより、ボディー全体が振動して音響効果を増幅させることができる。
【００４８】
また、本実施形態では、ボディー２の接続部分のうち湾曲面３以外を直角に形成するものを示したが、内部空間と操作性に影響がない範囲でわずかに湾曲させても良い。
【図面の簡単な説明】
【００４９】
【図１】本発明の一実施形態であるギターの構成を示す正面図である。
【図２】本発明の一実施形態であるギターの構成を示す側面図である。
【図３】本発明の一実施形態であるギターの構成を示す底面図である。
【図４】本発明の一実施形態であるギターの要部の構成を示す拡大断面図である。
【符号の説明】
【００５０】
１  ギター
２  ボディー
３  湾曲面
４  表板
５  裏板
６  側面板
７  外木
８  内木
１１  サウンドホール
１２  弦
１３  係止部
１４  ネック部
【図１】
0004615395.tif 000002
【図２】
0004615395.tif 000003
【図３】
0004615395.tif 000004
【図４】
0004615395.tif 000005